(57)【要約】【課題】読取対象物に対して正確な複写が可能となる照明装置及び画像読取装置を提供する。【解決手段】原稿３を読み取るための読取光学系６〜８を有する画像読取装置２０１に備わり上記読取光学系を挟んで一対設けられる照明装置１９１であって、各照明装置から上記読取対象物へ照射される光軸の交点１０２を、上記読取対象物における読取対象位置１０３から外して配置した。【選択図】図１
2009075184.tif 000002
【特許請求の範囲】
【請求項１】
読取対象物において主走査方向に沿った線状の読取対象位置の画像を読み取りかつ上記主走査方向に延在する読取光学系を有する画像読取装置に備わり、上記読取対象位置へ光を照射する照明装置であって、
該照明装置は、上記主走査方向に延在し、かつ上記主走査方向に直交する副走査方向において上記読取光学系を挟んで一対設けられ、かつそれぞれの照明装置から上記読取対象物へ照射される照射光の光軸の交点を上記読取対象位置から外して配置されることを特徴とする照明装置。
【請求項２】
上記照明装置は導光体を有し、該導光体は、上記主走査方向に延在し、かつ光を散乱させる散乱体を有し、散乱した光を上記読取対象位置へ照射するよう導く、請求項１記載の照明装置。
【請求項３】
上記導光体は、上記読取対象位置へ照射する光を発生する光源と、上記光源からの光を出射し曲率を有する光出射面と、上記光出射面に対向し上記散乱体が設けられる平坦面とをさらに有する、請求項２記載の照明装置。
【請求項４】
上記導光体は、円柱形状にてなり、上記照明装置は、上記導光体から出射した光を上記読取対象物に集光させ上記主走査方向に沿って延在する円筒レンズをさらに備えた、請求項２記載の照明装置。
【請求項５】
上記読取光学系に入射する光軸で上記読取対象位置が位置している読取用光軸上に上記交点を位置させ、かつ上記交点が上記読取対象位置から外れるようにそれぞれの照明装置は配置される、請求項３又は４記載の照明装置。
【請求項６】
上記読取光学系に入射する光軸で上記読取対象位置が位置している読取用光軸から上記交点が外れるようにそれぞれの照明装置は配置される、請求項４記載の照明装置。
【請求項７】
上記円柱形状の導光体における導光体光軸と、上記円筒レンズにおけるレンズ光軸とが非平行となり、それぞれの照明装置における上記レンズ光軸は、上記読取対象位置から外れるように上記円筒レンズは配置される、請求項４記載の照明装置。
【請求項８】
請求項１から７のいずれか１項に記載の照明装置と、
上記照明装置から光が照射される読取対象物が載置される透明平板と、
上記読取対象物からの光が入射する読取光学系と、
上記読取光学系に接続され上記読取対象物の画像を読み取る読取センサと、
を備えたことを特徴とする画像読取装置。
【発明の詳細な説明】
【技術分野】
【０００１】
本発明は、照明装置、及び該照明装置を有する画像読取装置に関する。
【背景技術】
【０００２】
画像読取装置等に使用される従来の照明装置では、光源から放射された光を、レンズを通して効率よく読み取り対象領域へ導くため、導光体は、光源に近接して配置され導光損失の少ない円柱型が用いられる。さらに、導光体から放出された光を効率よく上記読み取り対象領域へ導くため、円筒レンズが上記導光体と組み合わされる（例えば特許文献１）。
【特許文献１】ＷＯ ２００６／０４９２０６ Ａ１
【発明の開示】
【発明が解決しようとする課題】
【０００３】
しかしながら、上述のような構成を有する従来の照明装置を用いた画像読取装置では、原稿面における上記読み取り対象領域にて反射あるいは散乱した照明光の一部が照明装置に入射し、再び、照明装置から原稿面に照射されるという現象が発生する。その結果、原稿面における画像の濃淡により、実質的に原稿面を照明する光の光量が変化し、読み取った画像の濃淡が、実際の画像の濃淡とは異なり、正確な複写ができないという問題があった。
【０００４】
例えば、白色の原稿面の中にわずかに黒色部分が存在する場合、白色部分からの散乱光が照明装置に戻り、再び原稿面に照射される。よって、黒色部分を照明する照明光の光量が増えることから、黒色部分は、実際の原稿面における黒色よりも白っぽく読み取られる。特に、白色部分と黒色部分との境界領域にて、その影響が大きく、原稿画像がにじんだ様に読み取られてしまうという問題があった。
【０００５】
本発明はこのような問題点を解決するためになされたもので、読取対象物に対して正確な複写が可能となる照明装置、及び該照明装置を有する画像読取装置を提供することを目的とする。
【課題を解決するための手段】
【０００６】
上記目的を達成するため、本発明は以下のように構成する。
即ち、本発明の第１態様における照明装置は、読取対象物において主走査方向に沿った線状の読取対象位置の画像を読み取りかつ上記主走査方向に延在する読取光学系を有する画像読取装置に備わり、上記読取対象位置へ光を照射する照明装置であって、該照明装置は、上記主走査方向に延在し、かつ上記主走査方向に直交する副走査方向において上記読取光学系を挟んで一対設けられ、かつそれぞれの照明装置から上記読取対象物へ照射される照射光の光軸の交点を上記読取対象位置から外して配置されることを特徴とする。
【発明の効果】
【０００７】
本発明の第１態様における照明装置によれば、画像読取装置に備わり読取対象物の読取対象位置における画像を読み取る読取光学系を挟んで一対の照明装置を設け、各照明装置の光軸の交点が読取対象位置から外れるように各照明装置を配置した。このような構成によれば、例えば、一方の照明装置から照射され読取対象物で反射あるいは散乱された照明光の一部が他方の照明装置側へ進行した場合であっても、読取対象物で反射又は散乱された照明光の光軸は、他方の照明装置の光軸と一致しない。したがって、他方の照明装置側へ進行した上記照明光の一部が再び読取対象物を照明する光に加わることを低減することができる。よって、特に、読取対象物における白色部分と黒色部分との境界領域にて読取り画像のにじみを少なくすることができ、正確な複写が可能になる。
【発明を実施するための最良の形態】
【０００８】
本発明の実施形態である照明装置、及び該照明装置を備えた画像読取装置について、図を参照しながら以下に説明する。尚、各図において、同一又は同様の構成部分については同じ符号を付している。
【０００９】
実施の形態１．
図１は、本発明の実施の形態１による照明装置１９１を備えた画像読取装置２０１の短軸方向４２の断面構成図である。ここで、短軸方向４２とは、図１に示すラインセンサ７の配列されている長軸方向４１（紙面を貫く方向）に直交する、紙面の左右方向であり、原稿送り方向に対応し副走査方向とも呼ぶ。尚、上記長軸方向４１とは、上述のようにラインセンサ７の配列方向に平行な方向であり、主走査方向とも呼ぶ。
【００１０】
画像読取装置２０１は、基本的構成部分として、照明装置１９１と、カバーガラス２と、ロッドレンズ６と、ラインセンサ７とを備える。ここで、照明装置１９１は、照明光学系を構成し、ロッドレンズ６、ラインセンサ７及び該ラインセンサ７を実装するセンサ基板８にて読取光学系を構成する。
【００１１】
カバーガラス２は、筐体１の上部に設けられ、透明平板の一例に相当する部材である。ロッドレンズ６は、筐体１内でカバーガラス２の下方にて、長軸方向４１である主走査方向４１に沿ってアレイ状に配列され延在するレンズである。ラインセンサ７は、ロッドレンズ６の直下にて主走査方向４１に沿ってアレイ状に配置され、ロッドレンズ６を介して入射する光を検出する。又、ラインセンサ７は、センサ基板８に設置されている。このようなロッドレンズ６、ラインセンサ７、及びセンサ基板８を有する読取光学系は、読取対象物の一例に相当する原稿３において主走査方向４１に沿った線状の読取対象位置１０３の画像を読み取る。
【００１２】
又、カバーガラス２上には、主走査方向４１に沿って延在するプラテン４が設けられ、プラテン４は、原稿３をカバーガラス２に押圧するとともに、回転することで原稿３を原稿送り方向４３へ紙送りする。
【００１３】
照明装置１９１は、筐体１内でカバーガラス２の下方にて、短軸方向４２である副走査方向４２において上記読取光学系を挟んで左右に一対、配置される。ここで、図１では、図１に向かって左側に配置された照明装置１９１に関する構成に対して添字「Ａ」を付し、右側に配置された照明装置１９１に関する構成に対して添字「Ｂ」を付している。尚、照明装置１９１Ａ、１９１Ｂは、ともに同じ構成を有する。よって以下では、特記すべき場合を除き、照明装置１９１Ａ、１９１Ｂを区別することなく照明装置１９１として説明する。
【００１４】
本実施形態１における照明装置１９１は、導光体９、散乱体１１、及び光源５を有する。導光体９は、本実施形態１では、円柱形状と角柱形状とを組み合わせた形状にてなり、主走査方向４１に沿って延在する。又、導光体９は、上記円柱形状に対応して、光源５からの光を出射し曲率を有する光出射面９１と、光出射面９１に対向し散乱体１１が設けられる平坦面９２とを有する。
【００１５】
光源５は、例えばＬＥＤ等の発光体にて構成され、主走査方向４１における導光体９の端面の両側又は片側に設けられる。
散乱体１１は、導光体９の長手方向、つまり主走査方向４１に沿って延在する上記平坦面９２に設けられ、導光体９と光学的にカップリングしており、光源５から導光体９内へ放射された光を散乱するように構成される。散乱体１１としては、例えば、導光体９の平坦面９２に白色顔料を塗布したものや、導光体９の平坦面９２自体にプリズム形状やエンボス形状の加工を施して構成することができる。尚、主走査方向４１における導光体９の照射光強度分布を均一化するため、主走査方向４１に対して散乱体１１に適切な分布を持たせるのが好ましい。
【００１６】
以上のような構成を有する導光体９では、光源５から放出された光は、導光体９内に取り込まれ、導光体９内を伝播する。導光体９を伝播する光は、導光体９に設けられた散乱体１１に当たり散乱されて一部の光が導光体９の光出射面９１から照明光照射方向に放射される。照明光照射方向に放出された光は、原稿３の原稿面３ａに照射される。このように導光体９は、光源５が発した光を照明光照射方向に導く部材である。
【００１７】
尚、画像読取装置２０１では、光源５からの光が原稿３に適切に到達するように、照明光学系が適宜調整され、かつ原稿面３ａからの光がラインセンサ７に適切に到達するように、読取光学系が適宜調整される。
【００１８】
上述した構成を有する照明装置１９１Ａ、１９１Ｂでは、本発明の実施形態における特徴的部分の一つとして、照明装置１９１Ａの上記照明光照射方向に沿う光軸１０１Ａと、照明装置１９１Ｂの上記照明光照射方向に沿う光軸１０１Ｂとは、原稿３の読取対象位置１０３及びその近傍で交差しない構成になっている。即ち、照明装置１９１Ａの光軸１０１Ａと、照明装置１９１Ｂの光軸１０１Ｂとの光軸交点１０２が、読取対象位置１０３と一致しない。このような構成になるように、照明装置１９１Ａと、照明装置１９１Ｂとが配置されている。
【００１９】
原稿３の読取対象位置１０３は、プラテン４にて原稿３の原稿面３ａがカバーガラス２に接している点、実際には領域、であって主走査方向４１に沿って延在し、ロッドレンズ６に入射する光軸である読取用光軸６１上に位置する。本実施の形態１では、光軸交点１０２も、読取用光軸６１上に位置する。図１に示すように、光軸交点１０２は、読取用光軸６１上に位置しながら、読取対象位置１０３の下方で、カバーガラス２内に位置するように、照明装置１９１Ａと、照明装置１９１Ｂとが配向されている。尚、後述するように画像のにじみを低減する目的からすれば、光軸交点１０２と読取対象位置１０３とは、離れている方が好ましいが、離れ過ぎると読取対象位置１０３における照度が低下してしまう。よって、光軸交点１０２と読取対象位置１０３との位置関係は、上記画像にじみと上記照度とのトレードオフとなるが、図示するように、光軸交点１０２の位置は、カバーガラス２内に存在する程度が好ましい。
【００２０】
光軸交点１０２が原稿３の読取対象位置１０３に一致しており、例えば、鏡のように正反射する原稿３を読取対象位置１０３に置き、読み取りを行う場合、照明装置１９１Ａから放射された照明光は、原稿面３ａで正反射され、対応する照明装置１９１Ｂに取り込まれる。その結果、原稿面３ａで反射された光は、照明装置１９１Ｂ内で散乱体１１Ｂに達し、再び、照明装置１９１Ｂにより、再照射光として原稿面３ａに照射されてしまう。このような現象が発生すると、コントラストの大きい画像、特に光沢紙に印刷された白黒の２値画像などでは、上述の再照射光により照明照度が増加する。よって、読み取った画像において、黒色部分に白色が混ざり、画像ににじみが生じてしまう。
【００２１】
これに対し、本実施の形態１では、図２に示すように、光軸交点１０２が、読取対象位置１０３と一致しない構成であるので、照明装置１９１Ａから放射された照明光が原稿面３ａで正反射され、この反射光１８１が対応する照明装置１９１Ｂに取り込まれて散乱体１１Ｂに達する確率は低くなる。よって、再び、照明装置１９１Ｂにより、原稿面３ａに照射されてしまう光量が小さくなる。したがって、読み取った画像において、にじみの少ない画像を再現することができ、原稿３に対して正確な複写が可能となる。
【００２２】
以上説明したように構成される本実施形態１の画像読取装置２０１における動作を説明する。
カバーガラス２に載置されプラテン４にて押圧された原稿３に対し、照明装置１９１Ａ、１９１Ｂは、光源５からの放出光を、カバーガラス２を介して原稿３の原稿面３ａに照射する。照明光は、導光体９の主走査方向４１に沿って延在する原稿面３ａにおける線状領域、つまり読取対象位置１０３を照明する。このとき、上述のように光軸交点１０２と読取対象位置１０３とは位置がずれているので、一方の照明装置１９１から照射され原稿面３ａで反射された反射光が他方の照明装置１９１の散乱体１１に到達する確率は、従来に比べて低減されている。よって、他方の照明装置１９１から再照射光として原稿面３ａに照射される確率は、従来よりも低減される。
【００２３】
原稿面３ａからの読み取り光は、主走査方向４１に沿ってアレイ状に配列されたロッドレンズ６によってラインセンサ７に１対１で正像転写され、ラインセンサ７により電気信号に変換される。原稿３は、プラテン４により原稿送り方向４３に移動されることから、線状の照射光は、原稿面３ａ上では副走査方向４２に走査されることとなり、最終的に原稿面全体の情報が電気信号に変換される。
【００２４】
本実施形態１の画像読取装置２０１では、それぞれの照明装置１９１から原稿面３ａに上記再照射光が照射される確率が従来よりも低減されることから、読み取った画像において、従来に比して、にじみの少ない画像を再現することができ、原稿３に対して正確な複写が可能となる。
【００２５】
尚、本実施形態１では、導光体９は、円柱と角柱とを組み合せた形状であるが、円柱、あるいは楕円柱で構成しても良い。
又、導光体９の長手方向に直交する短軸方向における断面の大きさは、光源５であるＬＥＤのサイズ、装置の小型化などを考慮して、１辺の長さが２ｍｍから８ｍｍ、好ましくは４ｍｍから６ｍｍが適当である。
【００２６】
さらに、導光体９の材料は、透明材料であればよく、アクリル、ポリカーボネイト等の樹脂材や、ガラス材料が使用可能である。
又、本実施形態では、光源５は導光体９の端面に設置する構成であるが、散乱体１１の背面に、ＬＥＤ等からなる光源５を導光体９の長手方向に沿って多数並べた構成を採ることもできる。このような光源５から放射する光は、散乱体１１を介して導光体９内へ入射され散乱され、上述の場合と同様に、散乱された光の一部を照明光照射方向に放射させ、残りの光を導光体９内に閉じ込めて、再度散乱体１１で散乱させるようにしても良い。
あるいは、光源を設置せず、散乱体１１を平面発光体型の自発光の散乱体で構成してもよい。
【００２７】
又、本実施形態１では、照明装置１９１は、画像読取装置２０１用として説明したが、他の装置に用いてもよい。照明装置１９１によれば、必要な照射領域に効率よく光を照射することが可能となり、同様に、光強度を向上することができる。
【００２８】
実施の形態２．
図３は、本発明の実施の形態２による画像読取装置２０２の副走査方向４２における断面構成図である。又、図４には、画像読取装置２０２の主要構成部分を斜視図として図示している。
【００２９】
実施の形態２による画像読取装置２０２の基本的な構成は、上述した実施形態１の画像読取装置２０１の場合と同様であり、照明装置１９１に代わる照明装置１９２と、カバーガラス２と、ロッドレンズ６と、ラインセンサ７とを備える。上述した実施形態１の画像読取装置２０１に備わる照明装置１９１では、導光体９を備え、該導光体９は、円柱形状と角柱形状とを組み合わせた形状にてなる部材であり、該導光体９から光を原稿３に直接照射していた。これに対し、実施の形態２による画像読取装置２０２に備わる照明装置１９２では、円柱形状の導光体１０と、円筒レンズ１２とを備え、円筒レンズ１２から光を原稿３に照射する。尚、照明装置１９１と照明装置１９２との相違点を除き、画像読取装置２０１と画像読取装置２０２とにおいて構成上の差異はない。よって、以下には、照明装置１９２についてのみ説明を行い、画像読取装置２０２におけるその他の構成部分についてのここでの説明は、省略する。
【００３０】
照明装置１９２も、上述した照明装置１９１と同様に、筐体１内でカバーガラス２の下方にて、副走査方向４２において上記読取光学系を挟んで左右に一対、配置される。ここで、図３では、図３に向かって左側に配置された照明装置１９２に関する構成に対して添字「Ａ」を付し、右側に配置された照明装置１９２に関する構成に対して添字「Ｂ」を付している。尚、照明装置１９２Ａ、１９２Ｂは、ともに同じ構成を有する。よって以下では、特記すべき場合を除き、照明装置１９２Ａ、１９２Ｂを区別することなく照明装置１９２として説明する。尚、図４には、照明装置１９２の内、照明装置１９２Ａのみが示されている。
【００３１】
本実施形態２における照明装置１９２は、導光体１０、散乱体１１、円筒レンズ１２、及び光源５を有する。導光体１０は、主走査方向４１に沿って延在し光源５が発した光を導く部材であり、円柱形状にてなる。導光体１０からの出射光の光軸１１１に沿って、導光体１０の光出射面９３に対向する導光体１０の底部の平面部には、実施形態１にて説明した散乱体１１が設けられる。さらに、主走査方向４１における導光体１０の端面の両側又は片側には、実施形態１にて説明した光源５が設けられる。
【００３２】
円筒レンズ１２は、蒲鉾形の断面を有し主走査方向４１に延在するレンズであり、円筒レンズ１２における光軸方向において凸状の円筒面９４と、該円筒面９４に対向する平坦面９５とを有する。このような円筒レンズ１２は、導光体１０の光出射面９３に円筒面９４を対向させて、導光体１０に隣接して配置される。
尚、本実施形態２では、円筒レンズ１２における光軸が導光体１０における光軸１１１に一致するように、円筒レンズ１２は、導光体１０に対して配置されている。
【００３３】
よって、照明装置１９２において、導光体１０に設けた光源５から放出された光は、円柱導光体１０内に取り込まれ、導光体１０内を伝播する。導光体１０を伝播する光は、導光体１０に設けた散乱体１１に当たり、散乱されて一部の光が導光体１０から照明光照射方向に放射される。照明光照射方向に放出された光は、円筒レンズ１２により集光され、円筒レンズ１２の平坦面９５を出射して原稿３の原稿面３ａに照射される。
本実施形態２では、円筒レンズ１２の集光作用により、必要な照明範囲に照明光を照射できるため、効率の良い照明が可能になる。
【００３４】
尚、画像読取装置２０２においても、光源５からの光が原稿３に適切に到達するように、照明光学系が適宜調整され、かつ原稿面３ａからの光がラインセンサ７に適切に到達するように、読取光学系が適宜調整される。
【００３５】
実施形態１にて説明した照明装置１９１と同様に、本実施形態２における照明装置１９２においても、照明装置１９２Ａの上記照明光照射方向に沿う光軸１１１Ａと、照明装置１９２Ｂの上記照明光照射方向に沿う光軸１１１Ｂとが、原稿３の読取対象位置１０３、及びその近傍で交差しない構成になっている。即ち、照明装置１９２Ａの光軸１１１Ａと、照明装置１９２Ｂの光軸１１１Ｂとの光軸交点１０２が、読取対象位置１０３と一致しない。このような構成となるように、照明装置１９２Ａと、照明装置１９２Ｂとが配置されている。
【００３６】
又、上述した実施形態１の場合と同様に、実施形態２においても、照明装置１９２Ａの光軸１１１Ａと、照明装置１９２Ｂの光軸１１１Ｂとの光軸交点１０２は、ロッドレンズ６に入射する光軸である読取用光軸６１上に位置する。又、図示するように、光軸交点１０２は、読取対象位置１０３の下方で、カバーガラス２内に位置するように、照明装置１９２Ａと、照明装置１９２Ｂとが配向されている。
【００３７】
したがって、実施の形態１にて説明したように、本実施形態２でも同様に、照明装置１９２Ａから原稿面３ａに放射された照明光が原稿面３ａで正反射されて、対応する照明装置１９２Ｂに入射した場合でも、該入射光が照明装置１９２の散乱体１１に達する確率は低減され、再び、照明装置１９２Ｂより原稿面３ａに照射されてしまう光量は小さくなる。そのため、読み取った画像において、にじみが少ない画像を再現することができ、原稿３に対して正確な複写が可能となる。
【００３８】
ここで、円柱の導光体１０は、光源５であるＬＥＤのサイズ、装置の小型化などを考慮して、直径２ｍｍから８ｍｍ、好ましくは３ｍｍから６ｍｍが適当である。この場合、円筒レンズ１２の曲率半径を２ｍｍから６ｍｍ程度にすることにより、原稿面３ａの近傍で照明光を集光光束あるいは概略平行光束に制御できる。
尚、円柱の導光体１０の直径は、上記範囲に限定されるものではなく、本実施の形態の照明光学系を用いる装置に応じて適宜選択すればよい。又、円筒レンズ１２の曲率半径に関しても、所望の照明光に応じて決定すればよい。
【００３９】
又、円筒レンズ１２の円筒面９４が楕円面、放物面等の非球面形状であると、さらに照明光束を効率よく制御できる。
さらに、円柱導光体１０及び円筒レンズ１２の材料は、透明材料であれば良く、アクリル、ポリカーボネイト等の樹脂材や、ガラス材料を使用することができる。
【００４０】
尚、実施形態１にて説明した変形、変更例に関する記述は、当該実施形態２の照明装置１９２及び画像読取装置２０２に対しても適用可能である。
【００４１】
実施の形態３．
図５は、発明の実施の形態３による画像読取装置２０３の副走査方向４２における断面構成図である。
実施の形態３による画像読取装置２０３の基本的な構成は、上述した実施形態２の画像読取装置２０２の構成と同様であり、照明装置１９３と、カバーガラス２と、ロッドレンズ６と、ラインセンサ７とを備える。照明装置１９３は、実施形態２で説明した照明装置１９２と同じ構成部分を有するが、以下に説明するように、左右の照明装置の設置角度及び位置が異なる。画像読取装置２０３におけるその他の構成は、実施形態２の画像読取装置２０２の構成と同様であり、ここでの説明は省略する。
【００４２】
上述した実施形態２では、照明装置１９２Ａの光軸１１１Ａと、照明装置１９２Ｂの光軸１１１Ｂとの光軸交点１０２が、ロッドレンズ６に入射する光軸である読取用光軸６１上に位置し、かつ読取対象位置１０３の下方で、カバーガラス２内に位置するように、照明装置１９２Ａ及び照明装置１９２Ｂは、配向されている。即ち、実施形態２では、照明装置１９２Ａと照明装置１９２Ｂとは、読取用光軸６１に対して対称な位置に配置されている。
【００４３】
一方、実施の形態３による画像読取装置２０３では、原稿３の読取対象位置１０３は読取用光軸６１上に位置するが、照明装置１９３の内、図示の左側に配置されている照明装置１９３Ａと、右側に配置されている照明装置１９３Ｂとは、読取用光軸６１に対して非対称な位置に配置されている。例えば、照明装置１９３Ａと照明装置１９３Ｂとは、原稿３までの距離を異ならせ、又、読取用光軸６１と照明装置１９３Ａの光軸１１２Ａとの交差角度、及び読取用光軸６１と照明装置１９３Ｂの光軸１１２Ｂとの交差角度を異ならせている。
【００４４】
したがって、照明装置１９３Ａの光軸１１２Ａと、照明装置１９３Ｂの光軸１１２Ｂとの光軸交点１０４は、読取用光軸６１上には位置せず読取用光軸６１から外れた場所に位置する。本実施形態２では、光軸交点１０４は、図示するように原稿３の読取対象位置１０３の右側に位置させている。尚、光軸交点１０４の位置は、これに限定するものではなく、読取対象位置１０３を中心とした所定範囲内であればよい。ここで、所定範囲とは、実施の形態１にて説明したように、上記画像にじみと上記照度とのトレードオフにて決定される範囲であり、例えばカバーガラス２の厚み寸法を半径とした範囲とすることができる。
【００４５】
このように本実施形態３においても、読取対象位置１０３に対して光軸交点１０４は、ずれていることから、上述した実施形態１及び実施形態２の場合と同様に、読み取った画像において、にじみが少ない画像を再現することができ、原稿３に対して正確な複写が可能となる。
【００４６】
尚、実施形態１、２にて説明した変形、変更例に関する記述は、当該実施形態３の照明装置１９３及び画像読取装置２０３に対しても適用可能である。
【００４７】
実施の形態４．
図６は、発明の実施の形態４による画像読取装置２０４の副走査方向４２における断面構成図である。
実施の形態４による画像読取装置２０４の基本的な構成は、上述した実施形態２の画像読取装置２０２の構成と同様であり、照明装置１９４と、カバーガラス２と、ロッドレンズ６と、ラインセンサ７とを備える。照明装置１９４は、実施形態２で説明した照明装置１９２と同じ構成部分を有するが、以下に説明するように導光体１０における光軸と円筒レンズ１２における光軸とを異ならせている。尚、画像読取装置２０４におけるその他の構成は、実施形態２の画像読取装置２０２の構成と同様であり、ここでの説明は省略する。
【００４８】
上述した実施形態２では、照明装置１９２に備わる導光体１０における光軸と、同じく照明装置１９２に備わる円筒レンズ１２における光軸とは一致しており、照明装置１９２における光軸１１１として原稿３へ光が照射されている。
これに対し本実施形態４では、図６に示すように、照明装置１９４に備わる導光体１０における導光体光軸１１３と、円筒レンズ１２におけるレンズ光軸１１４とを一致させていない。即ち、照明装置１９４Ａに備わる円筒レンズ１２Ａのレンズ光軸１１４Ａと、照明装置１９４Ｂに備わる円筒レンズ１２Ｂのレンズ光軸１１４Ｂとの光軸交点１０５が原稿３の読取対象位置１０３から外れるように、それぞれの照明装置１９４Ａ、１９４Ｂに備わる円筒レンズ１２Ａ、１２Ｂを配置している。本実施形態４では、図示するように、円筒レンズ１２Ａのレンズ光軸１１４Ａと、円筒レンズ１２Ｂのレンズ光軸１１４Ｂとの光軸交点１０５は、プラテン４内に位置する。
【００４９】
このように本実施形態４においても、読取対象位置１０３に対して光軸交点１０５は、ずれていることから、上述した実施形態１及び実施形態２の場合と同様に、読み取った画像において、にじみが少ない画像を再現することができ、原稿３に対して正確な複写が可能となる。
【００５０】
尚、実施形態１、２にて説明した変形、変更例に関する記述は、当該実施形態４の照明装置１９４及び画像読取装置２０４に対しても適用可能である。
【００５１】
上述した各実施形態では、上記読取光学系は、原稿面３ａにて反射した光を集光しているが、これに限定されず、原稿面３ａを透過した光を集光するように、画像読取装置を構成してもよい。
又、上述した各実施形態の構成を適宜組み合わせた構成を採ることもできる。
【図面の簡単な説明】
【００５２】
【図１】本発明の実施の形態１による画像読取装置を示す断面図である。
【図２】図１に示す画像読取装置において、原稿面からの反射光が照明装置に入射する場合を説明するための図である。
【図３】本発明の実施の形態２による画像読取装置を示す断面図である。
【図４】図３に示す画像読取装置の主要部分における斜視図である。
【図５】本発明の実施の形態３による画像読取装置を示す断面図である。
【図６】本発明の実施の形態４による画像読取装置を示す断面図である。
【符号の説明】
【００５３】
３  原稿、  ５  光源、  ９、１０  導光体、  １１  散乱体、  １２  円筒レンズ、  ６１  読取用光軸、  ９１  出射面、  ９２  平坦面、
１０１  光軸、１０２  光軸交点、１０３  読取対象位置、
１０４、１０５  光軸交点、  １１１、１１２  光軸、  １１３  導光体光軸、
１１４  レンズ光軸、  １９１〜１９４  照明装置、
２０１〜２０４  画像読取装置。
【図１】
2009075184.tif 000003
【図２】
2009075184.tif 000004
【図３】
2009075184.tif 000005
【図４】
2009075184.tif 000006
【図５】
2009075184.tif 000007
【図６】
2009075184.tif 000008